(57)【要約】      （修正有）【課題】極めて容易に餅片を収容した個包装袋に漏れ孔（ピンホール）が発生しているかどうかを検査することができ、この検査で漏れ孔がないことを確認して個包装袋単位での餅片の賞味期限管理を可能にした包装餅を提供することを目的とする。【解決手段】餅片１と脱酸素剤２とを個包装袋３に入れると共に、この個包装袋３内に不活性ガスを主成分とする酸化防止用ガスと、ヘリウムガスとを充填して密閉した包装餅であって、前記ヘリウムガスは、前記密閉済みの個包装袋３に漏れ孔が生じていた場合に、この充填したガスにより膨出している前記密閉済みの個包装袋３を外部から押圧することによって前記漏れ孔からヘリウム検知器で検知し得る量が吐出される充填量に設定した包装餅。【選択図】図１
2013014365.tif 000002
【特許請求の範囲】
【請求項１】
餅片と脱酸素剤とを個包装袋に収容すると共に、この個包装袋内に不活性ガスを主成分とする酸化防止用ガスと、ヘリウムガスとを充填して密閉した包装餅であって、前記ヘリウムガスは、前記密閉済みの個包装袋に漏れ孔が生じていた場合に、この充填したガスにより膨出している前記密閉済みの個包装袋を外部から押圧することによって前記漏れ孔からヘリウム検知器で検知し得る量が吐出される充填量に設定したことを特徴とする包装餅。
【請求項２】
前記酸化防止用ガスと前記ヘリウムガスとの前記個包装袋内への充填量は、前記餅片と前記脱酸素剤とを入れて密閉した前記個包装袋が膨出形状となる量に設定したことを特徴とする請求項１記載の包装餅。
【請求項３】
前記酸化防止用ガスと前記ヘリウムガスとの前記個包装袋内への充填量は、前記個包装袋を次々と密閉した後に、この密閉により膨出形状となった前記各個包装袋を外方から押圧した際、前記密閉済みの個包装袋に漏れ孔が生じていた場合には、前記ヘリウム検知器で検知し得るヘリウムガスが吐出される充填量に設定したことを特徴とする請求項２記載の包装餅。
【請求項４】
前記ヘリウムガスの充填量は、前記個包装袋内の全ガス容量に対して１vol％〜９vol％となる量に設定したことを特徴とする請求項１〜３のいずれか１項に記載の包装餅。
【請求項５】
前記不活性ガスを主成分とする酸化防止用ガスの充填量は、前記個包装袋を密閉した直後の該個包装袋内の残留酸素ガスがこの個包装袋内の全ガス容量に対して９vol％以下となる量に設定したことを特徴とする請求項１〜４のいずれか１項に記載の包装餅。
【請求項６】
前記不活性ガスを主成分とする酸化防止用ガスは、窒素ガスであることを特徴とする請求項１〜５のいずれか１項に記載の包装餅。
【請求項７】
前記個包装袋は、酸素透過率が１ml/m２・day・MPa以下であることを特徴とする請求項１〜６のいずれか１項に記載の包装餅。
【請求項８】
前記個包装袋は、ピロー包装袋であることを特徴とする請求項１〜７のいずれか１項に記載の包装餅。
【請求項９】
前記個包装袋に、この個包装袋内の餅片の賞味期限を記載したことを特徴とする請求項１〜８のいずれか１項に記載の包装餅。
【請求項１０】
請求項１〜９のいずれか１項に記載の包装餅を前記個包装袋よりも大きな外包装袋内に複数収容して密封包装したことを特徴とする包装餅。
【発明の詳細な説明】
【技術分野】
【０００１】
本発明は、切り餅や丸餅などの餅片を個包装袋に収容した包装餅に関するものである。
【背景技術】
【０００２】
従来、食料品店やスーパーマーケットなどで販売される包装餅は、個包装袋に収容した複数の餅片と脱酸素剤とを一緒に密閉可能な外包装袋（個包装袋に収容した餅片を複数収容可能な大きさの外袋）内に入れて密閉した状態で販売されているものが多いが、この餅片を収容した個包装袋はガスバリア性が低く、そのため、一旦、外包装袋を開封してしまうと、餅片が大量の空気（酸素や水分）にさらされてしまうことになり、この外包装袋に表示されている賞味期限まで保存できなくなり、冷蔵庫に保管して早めに食べなければならないものとなっている。
【０００３】
本来、包装餅は、外包装袋を開封しても、この外包装袋の中の個包装袋に収容された個々の包装餅が外部からの影響を受けずに、賞味期限まで保存できることが理想である。
【０００４】
しかし、餅片を収容する個包装袋は、一般的にピロー包装袋が用いられており、このピロー包装袋は、非常に低い確率ではあるが、密閉の際にシール不良が発生し、漏れ孔（ピンホール）が生じてしまうことがあり、この漏れ孔が生じた個包装袋の包装餅を出荷してしまった場合、賞味期限内であっても漏れ孔から個包装袋内に空気（酸素や水分）が侵入して容易にカビが発生し問題となってしまう。
【０００５】
これを防止するために、出荷の際には、全数、漏れ孔の発生の有無を検査するピンホール検査をすれば良いが、このピンホール検査は、非常に難しいため、現実には、個包装袋に収容した餅片を極めて密閉性の高い外包装袋に収容し密閉し、この外包装袋を未開封の状態で賞味期限まで保存できるようにし、外包装袋を開封した場合は、この外包装袋に表示されている賞味期限まで保存できなくなり、冷蔵庫に保管して早めなければならないものとしている。
【発明の概要】
【発明が解決しようとする課題】
【０００６】
本発明は、極めて容易に餅片を収容した個包装袋に漏れ孔（ピンホール）が発生しているかどうかを検査することができ、この検査で漏れ孔がないことを確認して個包装袋単位での餅片の賞味期限管理を可能にした包装餅を提供することを目的とする。
【課題を解決するための手段】
【０００７】
添付図面を参照して本発明の要旨を説明する。
【０００８】
餅片１と脱酸素剤２とを個包装袋３に収容すると共に、この個包装袋３内に不活性ガスを主成分とする酸化防止用ガスと、ヘリウムガスとを充填して密閉した包装餅であって、前記ヘリウムガスは、前記密閉済みの個包装袋３に漏れ孔４が生じていた場合に、この充填したガスにより膨出している前記密閉済みの個包装袋３を外部から押圧することによって前記漏れ孔４からヘリウム検知器５で検知し得る量が吐出される充填量に設定したことを特徴とする包装餅に係るものである。
【０００９】
また、前記酸化防止用ガスと前記ヘリウムガスとの前記個包装袋３内への充填量は、前記餅片１と前記脱酸素剤２とを入れて密閉した前記個包装袋３が膨出形状となる量に設定したことを特徴とする請求項１記載の包装餅に係るものである。
【００１０】
また、前記酸化防止用ガスと前記ヘリウムガスとの前記個包装袋３内への充填量は、前記個包装袋３を次々と密閉した後に、この密閉により膨出形状となった前記各個包装袋３を外方から押圧した際、前記密閉済みの個包装袋３に漏れ孔４が生じていた場合には、前記ヘリウム検知器５で検知し得るヘリウムガスが吐出される充填量に設定したことを特徴とする請求項２記載の包装餅に係るものである。
【００１１】
また、前記ヘリウムガスの充填量は、前記個包装袋３内の全ガス容量に対して１vol％〜９vol％となる量に設定したことを特徴とする請求項１〜３のいずれか１項に記載の包装餅に係るものである。
【００１２】
また、前記不活性ガスを主成分とする酸化防止用ガスの充填量は、前記個包装袋３を密閉した直後の該個包装袋３内の残留酸素ガスがこの個包装袋３内の全ガス容量に対して９vol％以下となる量に設定したことを特徴とする請求項１〜４のいずれか１項に記載の包装餅に係るものである。
【００１３】
また、前記不活性ガスを主成分とする酸化防止用ガスは、窒素ガスであることを特徴とする請求項１〜５のいずれか１項に記載の包装餅に係るものである。
【００１４】
また、前記個包装袋３は、酸素透過率が１ml/m２・day・MPa以下であることを特徴とする請求項１〜６のいずれか１項に記載の包装餅に係るものである。
【００１５】
また、前記個包装袋３は、ピロー包装袋であることを特徴とする請求項１〜７のいずれか１項に記載の包装餅に係るものである。
【００１６】
また、前記個包装袋３に、この個包装袋３内の餅片１の賞味期限７を記載したことを特徴とする請求項１〜８のいずれか１項に記載の包装餅に係るものである。
【００１７】
また、請求項１〜９のいずれか１項に記載の包装餅を前記個包装袋３よりも大きな外包装袋６内に複数収容して密封包装したことを特徴とする包装餅に係るものである。
【発明の効果】
【００１８】
本発明は上述のように構成したから、餅片を収容した個包装袋に漏れ孔が生じているかどうかを容易に検査することができ、漏れ孔が生じていない密閉状態の個包装袋に収容した餅片を包装餅として市場に提供することができるので、消費者は、外包装袋を開封しても、一々冷蔵庫で保管して早めに食べきらなくても良く、この個包装袋に表示されている賞味期限まで個包装袋に収容されている餅片を保存することができる従来にない画期的な包装餅となる。
【図面の簡単な説明】
【００１９】
【図１】本実施例の餅片と脱酸素剤とを収容した個包装袋を示す斜視図である。
【図２】本実施例を示す斜視図である。
【図３】本実施例の個包装袋の裏面を示す平面図である。
【図４】本実施例の個包装袋に生じる漏れ孔を示す説明断面図である。
【図５】本実施例の検査装置を示す概略図である。
【発明を実施するための形態】
【００２０】
好適と考える本発明の実施形態を、図面に基づいて本発明の作用を示して簡単に説明する。
【００２１】
本発明は、餅片１と脱酸素剤２とを収容した個包装袋３内に不活性ガスを主成分とする酸化防止用ガスと共にヘリウムガスを充填して密閉したので、個包装袋３はこれらの充填ガスによって膨出形状となり、この膨出形状となった個包装袋３にシール不良やピンホールなどの漏れ孔４が生じていた場合、この膨出形状の個包装袋３を外部から押圧することで、この漏れ孔４からヘリウムガスが吐出するので、この個包装袋３を押圧することで漏れ孔４から吐出したヘリウムをヘリウム検知器５で検知することで、容易に個包装袋３に漏れ孔４が生じていることを検知することができる。
【００２２】
即ち、本発明は、餅片１と脱酸素剤２とを収容した個包装袋３内に不活性ガスを主成分とする酸化防止用ガスと共にヘリウムガスを充填して個包装袋３を膨出形状に形成し、この膨出状態の個包装袋３を検査工程で押圧して、ヘリウム検知器５がヘリウムガスを検知すれば、個包装袋３に漏れ孔４が生じていると判断し、個包装袋３を押圧してもヘリウム検知器５がヘリウムガスを検知しなければ、個包装袋３に漏れ孔４が生じていないと判断することができるので、極めて容易に個包装袋３に漏れ孔４が生じているかどうかのピンホール検査を行うことができる。
【００２３】
従って、本発明は、このようなピンホール検査を全ての包装餅に対して行い、個包装袋３に漏れ孔４が生じていないことが確認されたものだけを出荷することで、個包装袋３に収容された餅片１を複数収容した外包装袋６を開封して、この外包装袋６内の個包装袋３に収容された餅片１を空気にさらしても、餅片１を収容した個包装袋３内に外部から空気（酸素や水分）が侵入することがないので、個包装袋３内はカビが発生する条件が整わず、よって、個包装袋３内の餅片１を賞味期限まで保存することができる画期的な包装餅となる。
【００２４】
しかも、本発明は、餅片１と一緒に脱酸素剤２を個包装袋３に収容したので、密閉時に個包装袋３内に残留した酸素をこの脱酸素剤２が吸収、除去するので、個包装袋３には酸素が存在せず、また更に、外部から個包装袋３を透過してくる僅かな酸素もこの脱酸素剤２が吸収、除去するので、常にこの個包装袋３内の酸素を可及的に低減し、より一層、カビが発生し難い、長期保存が可能な包装餅となる。
【００２５】
また更に、この個包装袋３に充填したヘリウムガスは、時間が経過すると共に徐々に個包装袋３を透過して外部に流出していくので、この個包装袋３は、残留酸素の除去とヘリウムガスの流出によって膨出形状が緩和され、体裁の良い包装餅となる。
【実施例】
【００２６】
本発明の具体的な実施例について図面に基づいて説明する。
【００２７】
本実施例は、図１に示すような、個包装袋３に収容された餅片１を、図２に示すような、外包装袋６に複数収容した包装餅である。
【００２８】
また、本実施例の餅片１を個包装袋３に収容した包装餅は、餅片１と脱酸素剤２とを個包装袋３に入れると共に、この個包装袋３内に不活性ガスを主成分とする酸化防止用ガスと、ヘリウムガスとを充填して密閉した包装餅であって、前記ヘリウムガスは、前記密閉済みの個包装袋３に漏れ孔４が生じていた場合に、この充填したガスにより膨出している前記密閉済みの個包装袋３を外部から押圧することによって前記漏れ孔４からリウム検知器５で検知し得る量が吐出される充填量に設定した包装餅である。
【００２９】
より具体的に説明すると、本実施例の餅片１は、具体的には、切り餅や丸餅などの小片餅である。
【００３０】
また、この餅片１と一緒に個包装袋３に収容する脱酸素剤２は、具体的には、鉄または酸化鉄を反応主剤とした脱酸素剤を採用し、個包装袋３の表面側の内面に貼設状態に設けた構成としている。
【００３１】
また、この餅片１と脱酸素剤２とを収容する個包装袋３は、ガスバリア性の高い合成樹脂フィルムから成る構成とし、後述する個包装袋３内に充填する不活性ガスを主成分とする酸化防止用ガスを個包装袋３外に透過流出させない構成とすると共に、外部から個包装袋３内に空気（酸素や水分）が透過侵入して来ないように構成している。
【００３２】
具体的には、本実施例では、ガスバリア性、即ち、酸素透過率が１ml/m２・day・MPa以下となるように個包装袋３を構成しており、より具体的には、一層目に直鎖状低密度ポリエチレン、二層目にポリエチレン、三層目にナイロンを用いた三重構造の個包装袋３に構成し、この三層目のナイロンの高いガスバリア性によって外部からの空気の侵入を遮断するように構成している。
【００３３】
また、本実施例の個包装袋３の外面、具体的には表面に、収容した餅片１の賞味期限７を記載した構成としている。
【００３４】
また更に、本実施例の個包装袋３は、図３に示すように、ピロー包装袋を採用した構成としている。
【００３５】
このように構成した個包装袋３に、上述した餅片１と脱酸素剤２を収容すると共に、個包装袋３内に不活性ガスを主成分とする酸化防止用ガスと、ヘリウムガスとを充填した構成としている。
【００３６】
この個包装袋３内に不活性ガスを主成分とする酸化防止用ガスは、個包装袋３内の酸素の存在をできるだけ少なくすることを目的として充填され、また、ヘリウムガスは、個包装袋３の開口部８を密閉する際に生じるシール不良による漏れ孔４の発生の有無を検査する際に使用する目的として充填されるものである。
【００３７】
この不活性ガスを主成分とする酸化防止用ガスとヘリウムガスとの個包装袋３への充填量は、餅片１と脱酸素剤２とを収容し密閉した個包装袋３が、この充填したガスによって膨出形状となる量に設定している。
【００３８】
更に、言い換えると、酸化防止用ガスとヘリウムガスとの個包装袋３内への充填量は、個包装袋３を次々と密閉した後に、この密閉により膨出形状となった各個包装袋３を外方から押圧した際、密閉済みの個包装袋３に漏れ孔４が生じていた場合には、ヘリウム検知器５で検知し得るヘリウムガスが吐出される量に設定している。
【００３９】
具体的には、この個包装袋３に充填する不活性ガスを主成分とする酸化防止用ガスの充填量は、個包装袋３を密閉した直後の個包装袋３内の残留酸素ガスがこの個包装袋３内の全ガス容量に対して９vol％以下となる量に設定している。
【００４０】
また、本実施例の不活性ガスを主成分とする酸化防止用ガスは、窒素ガスやアルゴンガスなどの不活性ガスを主成分とする酸化防止用ガスであり、本実施例では、この不活性ガスに安価な窒素ガスを採用している。
【００４１】
また、この窒素ガスを主成分とした酸化防止用ガスと一緒に充填するヘリウムガスの充填量は、密閉済みの個包装袋３に漏れ孔４が生じていた場合に、充填したガスにより膨出している密閉済みの個包装袋３を外部から押圧することによって漏れ孔４からヘリウム検知器５で検知し得る量が吐出される量に設定しており、より具体的には、個包装袋３内の全ガス容量に対して１vol％〜９vol％となる量に設定している。
【００４２】
また、上述したように、本実施例は、個包装袋３としてピロー包装袋を採用しているが、このピロー包装袋は、図４に示すように、開口部８をシールする際に、背貼り部９によって生じる段差の影響で、非常に低い確率ではあるが、シール不良による漏れ孔４が発生してしまうことがある。
【００４３】
そのため、このピロー包装袋である個包装袋３を密閉した後で、この密閉した個包装袋３に漏れ孔４が発生しているかどうかを確認するためのピンホール検査を行わなければならない。
【００４４】
本実施例のピンホール検査を行う検査工程について説明すると、この検査工程は、窒素ガスを主成分とする酸化防止用ガスとヘリウムガスとを充填したことで膨出形状となった餅片１と脱酸素剤２とを収容した個包装袋３を検査装置10内に搬送し、この検査装置10内で個包装袋３を外部から押圧し、この検査装置10に付設したヘリウム検知器５がヘリウムガスを検知するか否かでこの個包装袋３に漏れ孔４が生じているか否かを判断するものである。
【００４５】
即ち、個包装袋３に漏れ孔４が生じていた場合は、個包装袋３を押圧した際に個包装袋３内のヘリウムガスが吐出し検査装置10内に拡散するので、この検査装置10内に拡散したヘリウムガスをヘリウム検知器５が検知することで、この個包装袋３に漏れ孔４が生じていると判断することができ、また、個包装袋３に漏れ孔４が生じていない場合は、個包装袋３を押圧しても個包装袋３内のヘリウムガスが個包装袋３外に流出しないので、検査装置10内にはヘリウムガスが存在せず、よって、ヘリウム検知器５はヘリウムガスを検知しないので、この個包装袋３に漏れ孔４が生じていないと判断できる、極めて簡易な検査方法である。
【００４６】
具体的には、検査装置10は、図５に示すように、上下に配設したベルト搬送機構11と、ヘリウム検知器５とからなり、この上下に配設したベルト搬送機構11が上下方向から膨出した個包装袋３を押圧しながら搬送することで、もし、個包装袋３に漏れ孔４が生じていた場合は、この搬送途中に設けたガス吸引部12から押圧した際に吐出したヘリウムガスがヘリウム検知器５内に引き込まれ、ヘリウム検知器５で吸引したガスがヘリウムガスであることを認知してヘリウムガスを検知したことを出力するように構成したものである。
【００４７】
このように、製造過程で搬送しながら漏れ孔４の有無を判定するピンホール検査を行うことができるので、非常にスピーディー且つ正確にピンホール検査を行うことができるので、製造した全ての個包装袋３に対して全数検査を行うことができ、これによって、漏れ孔４が発生している個包装袋３に収容した餅片１を出荷することがなくなるので、個包装袋３に収容された餅片１を複数収容した外包装袋６を開封して、この外包装袋６内の個包装袋３に収容された餅片１を空気にさらしても、餅片１を収容した個包装袋３内に外部から空気（酸素や水分）が侵入することがないので、個包装袋３内はカビが発生する条件が整わず、よって、個包装袋３内の餅片１を賞味期限まで保存することができる画期的な包装餅となる。
【００４８】
尚、本発明は、本実施例に限られるものではなく、各構成要件の具体的構成は適宜設計し得るものである。
【符号の説明】
【００４９】
１  餅片
２  脱酸素剤
３  個包装袋
４  漏れ孔
５  ヘリウム検知器
６  外包装袋
【図１】
2013014365.tif 000003
【図２】
2013014365.tif 000004
【図３】
2013014365.tif 000005
【図４】
2013014365.tif 000006
【図５】
2013014365.tif 000007
【手続補正書】
【提出日】平成24年4月10日(2012.4.10)
【手続補正１】
【補正対象書類名】明細書
【補正対象項目名】００２８
【補正方法】変更
【補正の内容】
【００２８】
また、本実施例の餅片１を個包装袋３に収容した包装餅は、餅片１と脱酸素剤２とを個包装袋３に入れると共に、この個包装袋３内に不活性ガスを主成分とする酸化防止用ガスと、ヘリウムガスとを充填して密閉した包装餅であって、前記ヘリウムガスは、前記密閉済みの個包装袋３に漏れ孔４が生じていた場合に、この充填したガスにより膨出している前記密閉済みの個包装袋３を外部から押圧することによって前記漏れ孔４からヘリウム検知器５で検知し得る量が吐出される充填量に設定した包装餅である。